(57)【要約】【課題】デジタル放送を受信してＬＣＮが競合するような場合でも、適切なチャンネルマップを作成することが可能となるデジタル放送受信装置を提供する。【解決手段】物理チャンネルのチャンネルサーチを実行し、ＬＣＮ（Logical_channel_number）および地域データを含んだ放送データを集積するチャンネルサーチ部と、前記集積された放送データに含まれるＬＣＮが競合しているか否かを確認する競合確認部と、ＬＣＮが競合している場合、地域設定画面を表示部に表示させる表示制御部と、前記地域設定画面において地域が設定されると、設定された地域に対応するＬＣＮをチャンネル番号に割り当てると共に、設定されなかった地域に対応するサービスのチャンネル番号をＬＣＮで使用しない番号の領域へ割り当てて、チャンネル番号と物理チャンネルの対応関係を表すチャンネルマップを作成するチャンネルマップ作成部と、を備える構成とした。【選択図】図１
2012039422.tif 000002
【特許請求の範囲】
【請求項１】
物理チャンネルのチャンネルサーチを実行し、ＬＣＮ（論理チャンネル番号：Logical_channel_number）および地域データを含んだ放送データを集積するチャンネルサーチ部と、
前記集積された放送データに含まれるＬＣＮが競合しているか否かを確認する競合確認部と、
ＬＣＮが競合している場合、地域設定画面を表示部に表示させる表示制御部と、
前記地域設定画面において地域が設定されると、設定された地域に対応するＬＣＮをチャンネル番号に割り当てると共に、設定されなかった地域に対応するサービスのチャンネル番号をＬＣＮで使用しない番号の領域へ割り当てて、チャンネル番号と物理チャンネルの対応関係を表すチャンネルマップを作成するチャンネルマップ作成部と、を備えることを特徴とするデジタル放送受信装置。
【請求項２】
前記表示制御部は、前記表示部に前記地域設定画面を表示させる際、前記地域データに基づき地域設定を初期表示させることを特徴とする請求項１に記載のデジタル放送受信装置。
【請求項３】
前記放送データは、ネットワーク情報をさらに含み、前記地域データは、順次地域を限定する複数の地域コードからなり、
前記表示制御部は、ネットワークごとの最も広い地域を示す前記地域コードを比較して共通していない場合、受信強度が最も強いネットワークの前記地域データを前記地域設定画面に初期表示させることを特徴とする請求項２に記載のデジタル放送受信装置。
【請求項４】
前記放送データは、ネットワーク情報をさらに含み、前記地域データは、順次地域を限定する複数の地域コードからなり、
前記表示制御部は、ネットワークごとの前記地域コードを比較して共通する地域コードがある場合、共通する地域コードを前記地域設定画面に初期表示させることを特徴とする請求項２または請求項３に記載のデジタル放送受信装置。
【請求項５】
前記放送データは、ネットワーク情報をさらに含み、
前記地域設定画面において地域が設定され、設定された地域のネットワークが複数ある場合、前記チャンネルマップ作成部は、前記複数のネットワークのうち受信強度が最も強いネットワークのＬＣＮをチャンネル番号に割り当てると共に、前記複数のネットワークのうち前記受信強度が最も強いネットワーク以外のネットワークに対応するサービスのチャンネル番号を前記ＬＣＮで使用しない番号の領域へ割り当てて、前記チャンネルマップを作成することを特徴とする請求項１〜請求項４のいずれかに記載のデジタル放送受信装置。
【請求項６】
所定の国以外を示す国コードを含む放送データを前記チャンネルサーチ部が格納した場合、前記チャンネルマップ作成部は、その放送データに対応するサービスのチャンネル番号を前記ＬＣＮで使用しない番号の領域へ割り当てて前記チャンネルマップを作成することを特徴とする請求項１〜請求項５のいずれかに記載のデジタル放送受信装置。
【発明の詳細な説明】
【技術分野】
【０００１】
本発明は、デジタル放送受信装置によるチャンネルマップ作成に関する。
【背景技術】
【０００２】
欧州の地上デジタル放送、特にイギリスの地上デジタル放送では、ＴＳ（トランスポートストリーム）データにＬＣＮ（論理チャンネル番号：Logical_channel_number）という情報が含まれており、ＬＣＮを用いてチャンネルマップが作成される。
【０００３】
例えば、特許文献１には、受信機の国設定がＬＣＮ対応国であるか否かを判定し、ＬＣＮ対応国であれば、受信したデジタル放送のＴＳに含まれるオリジナルネットワーク識別が受信機の国設定と一致するか否かを判定し、一致すれば、受信したデジタル放送のＴＳにＬＣＮが存在しているか否かを判定し、存在すれば、ＬＣＮと同じチャンネル番号を物理チャンネルに割り当てるようなデジタルテレビ放送受信装置が開示されている。
【先行技術文献】
【特許文献】
【０００４】
【特許文献１】特開２００９−２２５２６７号公報
【発明の概要】
【発明が解決しようとする課題】
【０００５】
ここで、イギリスの地上デジタル放送では、ネットワーク（Network）という概念が存在し、複数のネットワークにおいてはＬＣＮが競合することが起こりうる。上記特許文献１のデジタルテレビ放送受信装置では、複数のネットワークのデジタル放送を受信してＬＣＮが競合した場合に、チャンネル番号が競合したままチャンネルマップを作成してしまうという問題があった。
【０００６】
上記問題点を鑑み、本発明は、デジタル放送を受信してＬＣＮが競合するような場合でも、適切なチャンネルマップを作成することが可能となるデジタル放送受信装置を提供することを目的とする。
【課題を解決するための手段】
【０００７】
上記目的を達成するために本発明のデジタル放送受信装置は、物理チャンネルのチャンネルサーチを実行し、ＬＣＮ（論理チャンネル番号：Logical_channel_number）および地域データを含んだ放送データを集積するチャンネルサーチ部と、
前記集積された放送データに含まれるＬＣＮが競合しているか否かを確認する競合確認部と、
ＬＣＮが競合している場合、地域設定画面を表示部に表示させる表示制御部と、
前記地域設定画面において地域が設定されると、設定された地域に対応するＬＣＮをチャンネル番号に割り当てると共に、設定されなかった地域に対応するサービスのチャンネル番号をＬＣＮで使用しない番号の領域へ割り当てて、チャンネル番号と物理チャンネルの対応関係を表すチャンネルマップを作成するチャンネルマップ作成部と、を備える構成としている。
【０００８】
このような構成によれば、チャンネルサーチを実行してＬＣＮが競合したような場合でも、ユーザが地域設定画面で地域を設定すると、設定された地域に対応するＬＣＮをチャンネル番号に割り当てると共に、設定されなかった地域に対応するサービスのチャンネル番号をＬＣＮで使用しない番号の領域へ割り当ててチャンネルマップを作成するので、チャンネル番号が競合しない適切なチャンネルマップを作成することができる。
【０００９】
また、上記構成において、前記表示制御部は、前記表示部に前記地域設定画面を表示させる際、前記地域データに基づき地域設定を初期表示させる構成としてもよい。
【００１０】
このような構成によれば、地域設定の初期表示によりユーザの操作負担を軽減することができる。
【００１１】
また、上記構成において、前記放送データは、ネットワーク情報をさらに含み、前記地域データは、順次地域を限定する複数の地域コードからなり、
前記表示制御部は、ネットワークごとの最も広い地域を示す前記地域コードを比較して共通していない場合、受信強度が最も強いネットワークの前記地域データを前記地域設定画面に初期表示させる構成としてもよい。
【００１２】
また、上記構成において、前記放送データは、ネットワーク情報をさらに含み、前記地域データは、順次地域を限定する複数の地域コードからなり、
前記表示制御部は、ネットワークごとの前記地域コードを比較して共通する地域コードがある場合、共通する地域コードを前記地域設定画面に初期表示させる構成としてもよい。
【００１３】
また、上記いずれかの構成において、前記放送データは、ネットワーク情報をさらに含み、
前記地域設定画面において地域が設定され、設定された地域のネットワークが複数ある場合、前記チャンネルマップ作成部は、前記複数のネットワークのうち受信強度が最も強いネットワークのＬＣＮをチャンネル番号に割り当てると共に、前記複数のネットワークのうち前記受信強度が最も強いネットワーク以外のネットワークに対応するサービスのチャンネル番号を前記ＬＣＮで使用しない番号の領域へ割り当てて、前記チャンネルマップを作成する構成としてもよい。
【００１４】
このような構成によれば、設定された地域のネットワークが複数ある場合でも、受信強度の強いネットワークについて優先的にＬＣＮをチャンネル番号に割り当てて、チャンネル番号の競合しない適切なチャンネルマップを作成することができる。
【００１５】
また、上記いずれかの構成において、所定の国以外を示す国コードを含む放送データを前記チャンネルサーチ部が格納した場合、前記チャンネルマップ作成部は、その放送データに対応するサービスのチャンネル番号を前記ＬＣＮで使用しない番号の領域へ割り当てて前記チャンネルマップを作成する構成としてもよい。
【００１６】
このような構成によれば、チャンネルサーチにより外国の放送データを受信した場合でも、チャンネル番号が競合しないようチャンネルマップを作成することができる。
【発明の効果】
【００１７】
本発明のデジタル放送受信装置によれば、デジタル放送を受信してＬＣＮが競合するような場合でも、適切なチャンネルマップを作成することが可能となる。
【図面の簡単な説明】
【００１８】
【図１】本発明の一実施形態に係るテレビ装置の概略構成図である。
【図２】イギリスにおけるデジタル放送の放送形式を示す図である。
【図３】本発明に係るチャンネルマップ作成処理に関するフローチャートである。
【図４】チャンネルマップの一例を示す図である。
【図５】地域設定画面の初期表示処理に関するフローチャートである。
【図６】ネットワークと各地域名（Primary、Secondary、Tertiary）の対応関係の一例を示す図である。
【図７】地域設定画面の一例を示す図である。
【発明を実施するための形態】
【００１９】
以下に本発明の実施形態を図面を参照して説明する。
【００２０】
図１に、本発明の一実施形態に係る地上デジタル放送受信に対応したテレビ装置１００の概略構成図を示す。テレビ装置１００は、特にイギリスにおける地上デジタル放送に対応したものとなっている。図１に示すよう、テレビ装置１００は、チューナ部２と、復調部３と、ＤＥＭＵＸ（デマルチプレクサ）４と、デコード部５と、ＣＰＵ６と、ＲＡＭ７と、ＲＯＭ８と、リモコン受光部９と、Ｄ／Ａ変換部１０と、音声出力部１１と、スピーカ１２と、エンコード部１３と、映像信号出力部１４と、ディスプレイ１５と、を備えており、チューナ部２にはアンテナ１が接続される。
【００２１】
チューナ部２は、アンテナ１から地上デジタル放送信号を受信し所望の物理チャンネルで選局を行う。復調部３は、チューナ部２から入力される選局された信号を復調およびエラー訂正し、ＴＳデータを出力する。ＤＥＭＵＸ４は、ＴＳデータから音声データ、映像データをそれぞれ抽出する。また、ＤＥＭＵＸ４は、ＴＳデータからＳＩ（Services Information）も抽出できる。
【００２２】
デコード部５は、ＤＥＭＵＸ４で抽出された音声データおよび映像データをデコードする。Ｄ／Ａ変換部１０は、デコードされた音声データをアナログ信号に変換するものである。音声信号出力部１１は、Ｄ／Ａ変換部１０によってアナログ信号に変換された音声信号を出力するものである。スピーカ１２は、音声信号出力部１１から出力された音声信号に対応する音声を出力するものである。また、エンコード部１３は、デコードされた映像データをテレビジョン信号に変換するものである。映像信号出力部１４は、エンコード部１３から出力されたテレビジョン信号をディスプレイ１５に対して出力するものである。ディスプレイ１５は、ＬＣＤ（Liquid Crystal Display）、ＰＤＰ（Plasma Display Panel）等から構成され、映像信号出力部１４から出力されたテレビジョン信号に対応する映像を表示するものである。
【００２３】
ＣＰＵ６は、テレビ装置１００を統括的に制御する演算処理装置である。ＲＡＭ７は、ＣＰＵ６のワークメモリ等として使用される。ＲＯＭ８は、ＣＰＵ６を動作させる制御プログラム等を格納するものである。
【００２４】
リモコン受光部９は、不図示のリモコン装置から操作に対応した赤外線信号を受光し、受光した赤外線信号をリモコンコードに変換するものである。
【００２５】
次に、図２に、イギリスにおけるデジタル放送の放送形式を示す。図２に示すよう、一つのネットワークは、複数の物理チャンネルで構成され（図２のMultiplexes）、一つの物理チャンネルで複数のサービス（図２のServices）を放送できる。データとしては、一つの物理チャンネルで送信する一つのＴＳデータに複数のサービスのデータ（映像音声データ等）が重畳される。また、サービスごとにＬＣＮが割り当てられている。ＬＣＮは、１〜７９９番の範囲の値となっており、一つのネットワークにおいてＬＣＮが競合することはない。
【００２６】
次に、テレビ装置１００が行うチャンネルマップ作成処理について、図３から図７を用いて以下説明する。
【００２７】
チャンネルマップ作成処理は工場出荷後最初の電源オン等の際に開始される。まず、図３のステップＳ１で、ＣＰＵ６の指示によりチューナ部２が２１ＣＨから６８ＣＨまでの物理チャンネルを順次選局を試行し、選局可能な場合にＴＳデータからＤＥＭＵＸ４により抽出されたＳＩがＲＡＭ７に集積される。このとき、ＳＩに対応させて受信強度値もＲＡＭ７に格納させる。
【００２８】
ＳＩのＮＩＴ（Network Information Table）のtarget_region_descriptorには地域データが保存されており、イギリスでは地域データとして国を表すTarget_region_country_code＝“ＧＢＲ”と、さらに３段階の地域設定であるPrimary_region_code、Secondary_region_code、Tertiary_region_codeが存在する。また、ＳＩのＮＩＴにはネットワーク情報とＬＣＮも含まれている。ＬＣＮは１〜７９９番のいずれかの値となる。
【００２９】
ステップＳ１の後、ステップＳ２で、ＣＰＵ６は、ＲＡＭ７に格納されたＳＩに基づきTarget_region_country_codeが“ＧＢＲ”以外、つまりイギリス以外を示している物理チャンネルがあれば、その物理チャンネルの各サービスのチャンネル番号を８００番以降のvariant rangeへ割り当ててチャンネルマップをＲＡＭ７に作成する。つまり、variant rangeは、ＬＣＮで使用しない番号の領域となる。
【００３０】
ここで、図４に、チャンネルマップの一例を示すが、チャンネルマップは、物理チャンネルにサービス名称およびチャンネル番号を対応させたものとなっている。チャンネル番号がユーザにより選択操作される番号となる。
【００３１】
ステップＳ２の後、ステップＳ３で、ＣＰＵ６は、Target_region_country_codeが“ＧＢＲ”、つまりイギリスを示しているＳＩについてＬＣＮが競合していないかを確認する。そして、競合していない場合は（ステップＳ３のＹ）、ステップＳ４に進み、ＣＰＵ６は、ＬＣＮ（１〜７９９番）をチャンネル番号に割り当ててチャンネルマップを作成する（図４でいえば、variant rangeでない上方の領域が作成されることとなる）。ステップＳ４の後、処理は終了となる（エンド）。
【００３２】
もし、ステップＳ３で、ＬＣＮが競合していた場合は（ステップＳ３のＮ）、ステップＳ５に進み、地域設定画面の表示が行われる。ＬＣＮが競合しているのは複数のネットワークから受信している場合である。この処理について、図５を用いて説明する。
【００３３】
図５のステップＳ５１で、ＣＰＵ６は、ネットワークごとのPrimary_region_codeを参照し、Primary_region_codeが共通しているか否かを判定する。もし、共通していない場合は（ステップＳ５１のＮ）、ステップＳ５２に進み、ＣＰＵ６は、ＲＡＭ７に格納された受信強度値に基づき最も受信強度が強いネットワークを特定し、そのネットワークのPrimary_region_codeの地域名、Secondary_region_codeの地域名並びにTertiary_region_codeの地域名をディスプレイ１５の地域設定画面に表示させる。このとき、Primary_region_codeの地域名をハイライト表示させる。なお、受信強度値に基づきとは、例えば、ネットワークごとの受信強度値の平均値を算出し、算出した平均値に基づきネットワークを特定すればよい。
【００３４】
ここで、図６に、ネットワークと各地域名（Primary、Secondary、Tertiary）の対応関係の一例を示す。例えば、ネットワークＡとネットワークＥを受信した場合、Primary_region_codeが共通していないので、ステップＳ５２に進み、例えば、ネットワークＡの方が受信強度が強ければ、ネットワークＡのPrimary_region_codeの“England”、Secondary_region_codeの“North East”並びにTertiary_region_codeの“Newcastle”をディスプレイ１５の地域設定画面に表示させ、ハイライト位置を“England”とする。その表示の様子を、図７に示す。
【００３５】
また、ステップＳ５１で、Primary_region_codeが共通していた場合は（ステップＳ５１のＹ）、ステップＳ５３に進み、ＣＰＵ６は、ネットワークごとのSecondary_region_codeを参照し、Secondary_region_codeが共通しているか否かを判定する。もし、共通していない場合は（ステップＳ５３のＮ）、ステップＳ５４に進み、ＣＰＵ６は、ディスプレイ１５に表示させる地域設定画面において、共通するPrimary_region_codeの地域名を表示させると共に、Secondary_region_codeの地域名については共通する数が最大のものをハイライト表示させ、Tertiary_region_codeの地域名は未表示とする。
【００３６】
例えば、図６の例では、ネットワークＡ、Ｂ、Ｄを受信した場合、Primary_region_codeは共通するがSecondary_region_codeが共通しないので、ステップＳ５４に進み、地域設定画面に共通のPrimary_region_codeである“England”を表示させると共に、Secondary_region_codeの地域名については共通する数が最大である“North East”をハイライト表示させ、Tertiary_region_codeの地域名は未表示とする。このハイライト表示では、“North East”か“Yorkshire”を選択可能であり、Secondaryを“North East”のままTertiaryにハイライト表示を移すと“Newcastle”を選択可能となる。
【００３７】
また、ステップＳ５３で、Secondary_region_codeが共通していた場合は（ステップＳ５３のＹ）、ステップＳ５５に進み、ディスプレイ１５に表示させる地域設定画面において、共通するPrimary_region_codeおよびSecondary_region_codeの地域名を表示させると共に、Tertiary_region_codeの地域名については共通する数が最大のものをハイライト表示させる。
【００３８】
例えば、図６の例では、ネットワークＡ、Ｂ、Ｃを受信した場合、Primary_region_codeおよびSecondary_region_codeが共通するので、ステップＳ５５に進み、地域設定画面において、共通するPrimary_region_codeおよびSecondary_region_codeの地域名である“England”および“North East”を表示すると共に、Tertiary_region_codeの地域名については共通する数が最大である“Newcastle”をハイライト表示する。
【００３９】
説明を図３に戻すと、ステップＳ５の地域設定画面表示において地域が設定されて決定操作がされると、ステップＳ６に進み、ＣＰＵ６は、選択された地域のネットワークが複数あるか否かを判定する。例えば、上述のようにネットワークＡ、Ｂ、Ｃを受信した場合に、“England”、“North East”並びに“Newcastle”が表示された状態で決定操作がされると、選択された地域のネットワークはネットワークＡ、Ｂの複数あることになる。
【００４０】
もし、選択された地域のネットワークが複数ある場合は（ステップＳ６のＹ）、ステップＳ７に進み、ＣＰＵ６は、選択された地域のネットワークのうち受信強度値に基づき受信強度が最も強いと判定したネットワーク以外のネットワーク、および選択されていない地域のネットワークの各サービス用のチャンネル番号をvariant rangeへ割り当ててチャンネルマップをＲＡＭ７に作成する。その後、ステップＳ４で、ＣＰＵ６は、選択された地域のネットワークのうち受信強度が最も強いと判定したネットワークのＬＣＮをチャンネル番号に割り当ててチャンネルマップを作成する。ステップＳ４の後、処理は終了となる（エンド）。
【００４１】
一方、選択された地域のネットワークが複数でない場合は（ステップＳ６のＮ）、ステップＳ８に進み、ＣＰＵ６は、選択されていない地域のネットワークの各サービス用のチャンネル番号をvariant rangeへ割り当ててチャンネルマップをＲＡＭ７に作成する。その後、ステップＳ４で、ＣＰＵ６は、選択された地域のネットワークのＬＣＮをチャンネル番号に割り当ててチャンネルマップを作成する。ステップＳ４の後、処理は終了となる（エンド）。
【００４２】
このように、本発明に係るチャンネルマップ作成処理によれば、複数のネットワークから受信しＬＣＮが競合したような場合でも、地域設定画面で選択した地域のネットワークについてはＬＣＮをチャンネル番号に割り当て、それ以外のネットワークについてはＬＣＮで使用しない番号の領域であるvariant rangeへチャンネル番号を割り当てるので、チャンネル番号が競合しない適切なチャンネルマップを作成することができる。また、地域設定画面を表示する際には、ＴＳデータに含まれる地域データに基づき初期設定を表示するので、ユーザの操作負担を軽減することができる。
【００４３】
以上、本発明の実施形態について説明したが、本発明の趣旨の範囲内であれば、実施形態は種々変更が可能である。
【００４４】
例えば、本発明は、テレビ装置に限らず、デジタル放送受信可能なブルーレイディスクレコーダ、ＤＶＤレコーダ、ＨＤＤレコーダやセットトップボックス等にも適用が可能である。
【符号の説明】
【００４５】
１    アンテナ
２    チューナ部
３    復調部
４    ＤＥＭＵＸ
５    デコード部
６    ＣＰＵ
７    ＲＡＭ
８    ＲＯＭ
９    リモコン受光部
１０    Ｄ／Ａ変換部
１１    音声信号出力部
１２    スピーカ
１３    エンコード部
１４    映像信号出力部
１５    ディスプレイ
１００    テレビ装置
【図１】
2012039422.tif 000003
【図２】
2012039422.tif 000004
【図３】
2012039422.tif 000005
【図４】
2012039422.tif 000006
【図５】
2012039422.tif 000007
【図６】
2012039422.tif 000008
【図７】
2012039422.tif 000009